【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
ファイルを格納する記憶部と、
ファイルに関する２以上の機能のそれぞれを実現する機能実現部と、
前記記憶部に格納されたファイルのウィルスチェックを実行する制御部とを備え、
前記記憶部は、
ウィルスの種別と前記２以上の機能の中の１以上の機能とを関連付けるウィルス種別情報と、
ファイル種別と前記２以上の機能の中の１以上の機能とを関連付けるファイル種別情報と、
の少なくとも一方を格納し、
前記制御部は、
前記２以上の機能のうち、前記ウィルスチェックにおいて検出されたウィルスの種別に関連付けられた機能、および、前記記憶部に格納されたファイルの中の前記ウィルスチェックによって検出されたウィルスに感染している可能性があるファイルの種別に関連付けられた機能、の少なくとも一方を制限する、画像処理装置。
【請求項２】
前記制御部は、ウィルス種別情報に基づいて前記機能の一部を制限する、請求項１に記載の画像処理装置。
【請求項３】
前記制御部は、ファイル種別情報に基づいて前記機能の一部を制限する、請求項１または２に記載の画像処理装置。
【請求項４】
前記制御部は、ウィルス種別情報およびファイル種別情報に基づいて前記機能の一部を制限する、請求項１〜請求項３のいずれか１項に記載の画像処理装置。
【請求項５】
前記制御部は、前記ウィルスチェックにおいて検出されたファイルが実行されておらず、かつ、前記ウィルスチェックにおいて検出されたウィルスの種別が前記記憶部内のファイルを改ざんしない種別である場合には、前記ウィルスが除去された後、前記２以上の機能の制限を解除する、請求項１〜請求項４のいずれか１項に記載の画像処理装置。
【請求項６】
前記制御部は、前記ファイルが実行されたか否かを、ファイルへのアクセスログ、または、前記記憶部に格納されたファイルの履歴に基づいて判断する、請求項５に記載の画像処理装置。
【請求項７】
前記制御部は、前記ウィルスチェックにおいて検出されたウィルスの種別が前記記憶部内のファイルを改ざんする種別である場合に、前記記憶部内のファイルに対して前記ウィルスチェックにおいて検出されたウィルスに感染している可能性があるか否かを検査する、請求項１〜請求項６のいずれか１項に記載の画像処理装置。
【請求項８】
前記２以上の機能は、外部機器と通信する機能を含み、
前記制御部は、前記ウィルスチェックにおいてウィルスが検出された場合に、前記外部機器と通信する機能を制限した後、当該ウィルス除去を実行する、請求項１〜請求項７のいずれか１項に記載の画像処理装置。
【請求項９】
前記制御部は、前記ウィルスに感染している可能性があるファイルを報知する、請求項１〜請求項８のいずれか１項に記載の画像処理装置。
【請求項１０】
前記制御部は、前記記憶部内の各ファイルに対して、当該ファイルが前記記憶部内に格納されたときの当該ファイルの情報、前回のウィルスチェックのときの当該ファイルの情報、最新の利用時の当該ファイルの情報、および、今回のウィルスチェックのときの当該ファイルの情報の中の少なくとも一つを利用して、各ファイルが前記ウィルスに感染している可能性があるか否かを検査する、請求項１〜請求項９のいずれか１項に記載の画像処理装置。
【請求項１１】
最新の利用時の当該ファイルの情報は、
最新の利用時の日時を特定する情報を含み、
前回のウィルスチェックのときの当該ファイルの情報は、
前回のウィルスチェックの日時を特定する情報と、前回のウィルスチェックのときの当該ファイルのチェックサム値とを含み、
今回のウィルスチェックのときの当該ファイルの情報は、
今回のウィルスチェックのときの当該ファイルのチェックサム値を含む、
請求項１０に記載の画像処理装置。
【請求項１２】
前記２以上の機能は、通信機能、プリント機能、スキャン機能、ファイル送信機能、ブラウザー機能のうち２以上の機能を含む、請求項１〜請求項１１のいずれか１項に記載の画像処理装置。
【請求項１３】
前記画像処理装置は、プリンター装置およびスキャナー装置の少なくとも一方を含む、請求項１〜請求項１２のいずれか１項に記載の画像処理装置。
【請求項１４】
ファイルを格納する記憶部と、２以上の機能のそれぞれを実現する機能実現部とを備えた画像処理装置の制御方法であって、
前記記憶部に格納されたファイルのウィルスチェックを実行するステップと、
前記２以上の機能のうち、前記ウィルスチェックにおいて検出されたウィルスの種別に関連付けられた機能、および、前記記憶部に格納されたファイルの中の前記ウィルスチェックによって検出されたウィルスに感染している可能性があるファイルの種別に関連付けられた機能、の少なくとも一方を制限するステップとを備えた、画像処理装置の制御方法。
【請求項１５】
ファイルを格納する記憶部と、２以上の機能のそれぞれを実現する機能実現部とを備えた画像処理装置のコンピューターによって実行されるプログラムであって、
前記プログラムは、前記コンピューターに、
前記記憶部に格納されたファイルのウィルスチェックを実行するステップと、
前記２以上の機能のうち、前記ウィルスチェックにおいて検出されたウィルスの種別に関連付けられた機能、および、前記記憶部に格納されたファイルの中の前記ウィルスチェックによって検出されたウィルスに感染している可能性があるファイルの種別に関連付けられた機能、の少なくとも一方を制限するステップとを実行させる、プログラム。
【手続補正２】
【補正対象書類名】明細書
【補正対象項目名】０００６
【補正方法】変更
【補正の内容】
【０００６】
本開示のある局面に従うと、ファイルを格納する記憶部と、ファイルに関する２以上の機能のそれぞれを実現する機能実現部と、記憶部に格納されたファイルのウィルスチェックを実行する制御部とを備える画像処理装置が提供される。記憶部は、ウィルスの種別と２以上の機能の中の１以上の機能とを関連付けるウィルス種別情報と、ファイル種別と２以上の機能の中の１以上の機能とを関連付けるファイル種別情報と、の少なくとも一方を格納し、制御部は、２以上の機能のうち、ウィルスチェックにおいて検出されたウィルスの種別に関連付けられた機能、および、記憶部に格納されたファイルの中のウィルスチェックによって検出されたウィルスに感染している可能性があるファイルの種別に関連付けられた機能、の少なくとも一方を制限する。
制御部は、ウィルス種別情報に基づいて機能の一部を制限してもよい。
制御部は、ファイル種別情報に基づいて機能の一部を制限してもよい。
制御部は、ウィルス種別情報およびファイル種別情報に基づいて機能の一部を制限してもよい。
【手続補正３】
【補正対象書類名】明細書
【補正対象項目名】００１２
【補正方法】変更
【補正の内容】
【００１２】
最新の利用時の当該ファイルの情報は、最新の利用時の日時を特定する情報を含んでもよい。前回のウィルスチェックのときの当該ファイルの情報は、前回のウィルスチェックの日時を特定する情報と、前回のウィルスチェックのときの当該ファイルのチェックサム値とを含んでもよい。今回のウィルスチェックのときの当該ファイルの情報は、今回のウィルスチェックのときの当該ファイルのチェックサム値を含んでもよい。
２以上の機能は、通信機能、プリント機能、スキャン機能、ファイル送信機能、ブラウザー機能のうち２以上の機能を含んでいてもよい。
画像処理装置は、プリンター装置およびスキャナー装置の少なくとも一方を含んでいてもよい。
【手続補正４】
【補正対象書類名】明細書
【補正対象項目名】００１３
【補正方法】変更
【補正の内容】
【００１３】
本開示の他の局面に従うと、ファイルを格納する記憶部と、２以上の機能のそれぞれを実現する機能実現部とを備えた画像処理装置の制御方法が提供される。制御方法は、記憶部に格納されたファイルのウィルスチェックを実行するステップと、２以上の機能のうち、ウィルスチェックにおいて検出されたウィルスの種別に関連付けられた機能、および、記憶部に格納されたファイルの中のウィルスチェックによって検出されたウィルスに感染している可能性があるファイルの種別に関連付けられた機能、の少なくとも一方を制限するステップとを備える。
【手続補正５】
【補正対象書類名】明細書
【補正対象項目名】００１４
【補正方法】変更
【補正の内容】
【００１４】
本開示のさらに他の局面に従うと、ファイルを格納する記憶部と、２以上の機能のそれぞれを実現する機能実現部とを備えた画像処理装置のコンピューターによって実行されるプログラムが提供される。プログラムは、コンピューターに、記憶部に格納されたファイルのウィルスチェックを実行するステップと、２以上の機能のうち、ウィルスチェックにおいて検出されたウィルスの種別に関連付けられた機能、および、記憶部に格納されたファイルの中のウィルスチェックによって検出されたウィルスに感染している可能性があるファイルの種別に関連付けられた機能、の少なくとも一方を制限するステップとを実行させる。
【手続補正６】
【補正対象書類名】明細書
【補正対象項目名】００１５
【補正方法】変更
【補正の内容】
【００１５】
本開示によれば、ウィルスの種別だけでなく、ウィルスに感染した可能性があるファイルの種別に基づいて、制限される機能が決定され得る。これにより、画像処理装置内のファイルがウィルスに感染した場合に、必要最小限の機能が制限される。
【手続補正７】
【補正対象書類名】明細書
【補正対象項目名】００９２
【補正方法】変更
【補正の内容】
【００９２】
ステップＳ３８にて、ＣＰＵ２０は、ステップＳ１０にて検出されたウィルスの種別、および、ステップＳ３６にて作成されたリスト中のファイルの種別に従って、制限される機能を設定する。当該設定の一例は、たとえば各機能の実行を制限する制限フラグをセットすることである。ＣＰＵ２０は、制限フラグがセットされている機能は、たとえ実行を要求されても、実行しない。なお、ＣＰＵ２０は、ステップＳ２４，Ｓ３０において、すべての機能についての制限フラグをリセットしてもよい。